(57)【要約】      （修正有）【課題】建売やマンション等の建築工事で使用される初期の合鍵を簡単な操作で施開錠操作ができなくすることが可能な可変ピンシリンダ錠を提供する。【解決手段】鍵穴２を有する内筒３を回転可能に外筒４に嵌め込み、鍵穴２に突出させてそれぞれ長さの異なる下ピン６、カウンターピン７及びコイルバネ８とからなる複数のタンブラーピンが配設された可変ピンシリンダ錠であって、少なくとも１本の下ピン６は、トップピンとボトムピンとからなる。トップピンは、上端側に傘状のテーパ面を有し、下端部寄りに位置決めバネが嵌めこまれている。ボトムピンは、トップピンの下端部を挿入する穴の内周面に位置決めばねを嵌める複数の溝が所定間隔をもって設けられている。トップピンをボトムピンに挿入し位置決めバネが上部の溝に嵌めて下ピンを初期の長さに設定し、変換可能な鍵にて施開錠操作をすることで下ピン６の長さを短くできる可変タンブラーピン構造とした。【選択図】図２
2020111962.tif 000002
【特許請求の範囲】
【請求項１】
鍵穴を有する内筒を回転可能に外筒に嵌め込み、前記鍵穴に突出させてそれぞれ長さの異なる下ピン、カウンターピン及びコイルバネとからなる複数のタンブラーピンが配設された可変ピンシリンダ錠であって、
前記タンブラーピンの少なくとも１本のタンブラーピンの下ピンはトップピンとボトムピンと位置決めバネとから形成され、
前記トップピンは上端側が傘状のテーパ面に形成され、下端部寄りに周方向に形成されたスリット状溝部に前記位置決めバネが嵌め込まれ、
前記ボトムピンは、前記トップピンの下端部側が入り込む大きさの穴が設けられ、該穴の内周面に所要間隔をもって複数条の円弧状の溝が形成され、
前記トップピンを前記ボトムピンに挿入し位置決めバネが上部の円弧状の溝に嵌って下ピンの長さを初期設定の長さに設定し、
変換可能な複数の鍵にて施錠・開錠操作をすることで前記下ピンの長さを段階的に短くできる可変タンブラーピンとしたこと
を特徴とする可変ピンシリンダ錠。
【請求項２】
前記下ピンの初期設定の長さから段階的に短くした後は、前使用の鍵での施錠・開錠が不可になること
を特徴とする請求項１に記載の可変ピンシリンダ錠。
【請求項３】
前記可変タンブラーピンは複数本設けたこと
を特徴とする請求項１乃至２に記載の可変ピンシリンダ錠。
【発明の詳細な説明】
【技術分野】
【０００１】
本発明は、例えば、戸建て住宅の玄関及びマンションの各戸別毎の玄関の扉や産業機器または、例えば、金庫の扉やロッカーの扉等の重要物保管庫の扉等に取付けて使用される可変ピンシリンダ錠に関するものである。
【背景技術】
【０００２】
特に、マンションの建築業者においては、躯体工事の構築業者と内装工事の施工業者が異なる場合が多く、内装工事を行う場合には、各戸別毎に鍵付きの玄関扉を取り付けた状態で工事を行うのが通常である。内装工事についても、備え付け収納棚の構築や押入れ収納部の構築工事と、台所用品、例えば流し台やガス台及び浴槽などの設置工事とは異なる業者が指定されると共に、更に、照明装置や換気扇を取り付けたりする電気関係の工事業者とが別々に指定されて工事を行うのである。この場合に、各業者に対して各部屋毎の合鍵を渡して工事終了まで工事作業員が自由に出入りできるようにするのが通常ある。しかしながら、これら複数の業者において、鍵の管理が必ずしも徹底して管理されているとは言えず、合鍵を不正に作成する事態も想定できるのである。そのために、可変ピンシリンダ錠の開発がなされているのである。
【０００３】
この種の可変ピンシリンダ錠としては、複数のシリンダ錠が公知技術として知られている。例えば、第１の公知技術としては、径方向に延びる第１ピン孔が設けられた外筒と、この外筒内に同軸的に回転可能に挿入され径方向に延びる第２ピン孔が設けられた内筒と、前記第１ピン孔内に収納された第１ピンと、前記第１ピンを前記外筒及び内筒の軸に向かう方向に付勢するバネと、前記第２ピン孔内に収納され前記内筒が回転して前記第１ピン孔と前記第２ピン孔とが整合したときに前記第１ピンを介して前記バネにより前記軸に向かう方向に付勢される第２ピンと、を有し、前記第２ピンの長さは連続的に変更調節可能であり、前記内筒内にキーが挿入されて前記第２ピンを外筒側に押し返し、前記第１ピンと前記第２ピンとの境界がシャーラインに位置したときに開錠されるものであることを特徴とする可変式ピンシリンダ錠、である（特許文献１）。
【０００４】
この第１の公知技術に係る可変式ピンシリンダ錠によれば、ピン長を連続的に変更することができるため、従来の可変コードピンの着脱によるコード変更に比べて、無数に多くのシリンダ番号を生成することが可能となる、というものである。
【０００５】
第２の公知技術としては、合鍵によって制御されるタンブラーピンの少なくとも１個のタンブラーピンを変換ピンとして指定し、この変換ピンと対応するドライバーピンとの間に、少なくとも１個の調整タンブラーピンを挿設すると共に、内筒の開錠方向とは反対方向における所定の角度位置を変換角度位置として指定し、それまでの合鍵に回転制御解除機構を設けた変換鍵を合鍵挿入角度位置において鍵孔に挿入し、内筒を変換角度位置にまで回動させ、この角度位置で変換鍵を抜いて、変換ピンに対応する鍵の窪みの深さを変えた新たな合鍵を鍵孔に挿入することにより調整タンブラーとドライバーピンとの接合部をシァーラインに揃えるようにしたことを特徴とする可変ピンシリンダ錠、である（特許文献２）。
【０００６】
この第２の公知技術に係る可変ピンシリンダ錠によれば、通常の合鍵では内筒を変換角度位置まで回動できないので、通常の合鍵による施解錠操作で鍵違いが変わってしまうという不都合は生じない、また、変換角度位置で変換鍵を抜いて新たな合鍵を挿入することにより、調整タンブラー内筒側或いは外筒側のピン孔に移動させ、このようにして簡単かつ確実に鍵違いを変換することができる、というものである。
【先行技術文献】
【特許文献】
【０００７】
【特許文献１】特開２００７−２４７３３６号の公開公報
【特許文献２】特開２００８−５７１９３号の公開公報
【発明の概要】
【発明が解決しようとする課題】
【０００８】
前記第１の公知技術に係る可変式ピンシリンダ錠は、扉に取付ける前の段階で専門の業者においてタンブラーピンにおける可動部に取り付けられたシャフトを制御装置のモータを介して突出長を自由に変えることができるというものであり、扉に取付けられた状態でピンシリンダ錠のピンの長を変えることは不可能であり、不正に複製した合鍵によって自由に開閉できるという問題点を有している。
【０００９】
前記第２の公知技術に係る可変ピンシリンダ錠においては、余剰の調整タンブラーとそれまでの合鍵から回転制御窪み除いた変換鍵とが必要であると共に、内筒の解錠方向と反対方向における所定の角度位置を変換角度位置として指定する必要があって、全体の構造が複雑であり、変換のための操作性が悪いという問題点を有している。
【００１０】
本発明は、前記課題を解決するために、ピンシリンダ錠を扉に取付けた状態のままで、２番目の鍵及びそれ以降の鍵で施錠・開錠操作をすることで、前使用の鍵を順次使用不可にすることができる可変シリンダ錠を提供することを目的とするものである。
【課題を解決するための手段】
【００１１】
本発明は前述の課題を解決する具体的手段として、鍵穴を有する内筒を回転可能に外筒に嵌め込み、前記鍵穴に突出させてそれぞれ長さの異なる下ピン、カウンターピン及びコイルバネとからなる複数のタンブラーピンが配設された可変ピンシリンダ錠であって、前記タンブラーピンの少なくとも１本のタンブラーピンの下ピンはトップピンとボトムピンと位置決めバネとから形成され、前記トップピンは上端側が傘状のテーパ面に形成され、下端部寄りに周方向に形成されたスリット状溝部に前記位置決めバネが嵌め込まれ、前記ボトムピンは、前記トップピンの下端部側が入り込む大きさの穴が設けられ、該穴の内周面に所要間隔をもって複数条の円弧状の溝が形成され、前記トップピンを前記ボトムピンに挿入し位置決めバネが上部の円弧状の溝に嵌って下ピンの長さを初期設定の長さに設定し、変換可能な複数の鍵にて施錠・開錠操作をすることで前記下ピンの長さを段階的に短くできる可変タンブラーピンとしたことを特徴とする可変ピンシリンダ錠を提供するものである。
【００１２】
上記発明において、前記下ピンの初期設定の長さから段階的に短くした後は、前使用の鍵での施錠・開錠が不可になること；及び前記可変タンブラーピンは複数本設けたこと；を付加的要件として含むものである。
【発明の効果】
【００１３】
本発明に係る可変ピンシリンダ錠によれば、構成が簡単であり且つ少なくとも２番目の鍵またはそれ以降の変換可能な鍵でピンシリンダ錠の機能を段階的に簡単に変換することができ、返還後の鍵を有するものであれば、施錠・開錠の操作をすることができ、しかも、可変ピンシリンダ錠を扉に取付けた状態のままで初期の鍵または前使用の鍵では施錠・開錠操作ができないように機能変換できるという種々の優れた効果を奏するのである。
【図面の簡単な説明】
【００１４】
【図１】本発明の実施の形態に係る可変ピンシリンダ錠の正面図である。
【図２】図１のＡ−Ａ線に沿う断面図である。
【図３】可変タンブラーピンの下ピンを拡大し、且つ一部を断面で示した側面図である。
【図４】同下ピンを分解し、且つ（ａ）図はそれぞれの上面図であり、（ｂ）図はそれぞれの側面図であり、ボトムピンのみを断面で示した側面図である。
【図５】同可変ピンシリンダ錠に使用される鍵の要部のみを示すものであり、（ａ）図は１番目の鍵を示し、（ｂ）図は２番目の変換可能な鍵を示し、（ｃ）図は３番目の変換可能な鍵をそれぞれ示す要部の拡大側面図である。
【図６】同可変ピンシリンダ錠に１番目の初期の鍵を使用した状態を示す断面図である。
【図７】同可変ピンシリンダ錠における初期の鍵での施錠・開錠の原理を説明するための説明図であり、（ａ）図は施錠状態を示し、（ｂ）図は初期の鍵を装着した状態を示し、（ｃ）図は初期の鍵で開錠する途上の状態を示すものである。
【図８】同可変ピンシリンダ錠に２番目の変換可能な鍵を使用した状態を示す断面図である。
【図９】同可変ピンシリンダ錠における２番目の変換可能な鍵での施錠・開錠の可変の原理を説明するための説明図であり、（ａ）図は変換可能な鍵を挿着した状態を示し、（ｂ）図は変換可能な鍵で開錠する途上の状態を示し、（ｃ）図は変換可能な鍵で施錠・開錠した後に初期の鍵を鍵穴に差し込んだ状態を示すものである。
【発明を実施するための形態】
【００１５】
本発明を図示の実施の形態に基づいて詳しく説明する。
まず、図１及び図２に示した可変ピンシリンダ錠１は、鍵穴２を有する内筒３を回転可能に外筒４に嵌め込んでなり、該内筒３と外筒４との間に鍵穴２に突出させて複数のタンブラーピン５が配設され、各タンブラーピンは、それぞれ長さの異なる下ピン６、カウンターピン７（上ピン）及びコイルバネ８とからなり、該コイルバネ８の上端はバネ押え蓋９により支持されておりタンブラーピン５は常に鍵穴２方向に押圧されている。なお、内筒２と外筒４との境界位置がシャーラインＸとなるのである。
そして、これらタンブラーピンの内、少なくとも鍵穴２の開口部側に近い１本のタンブラーピン、好ましくは２番目までの２本のタンブラーピンを可変タンブラーピン１０とする。
【００１６】
この可変タンブラーピン１０の構造は、前記タンブラーピン５と同様にカウンターピン７とコイルバネ８を有することは同じで、カウンターピン７と当接する下ピン６に対応する部分の構造が異なるのである。即ち、図３と図４に示したように、下ピン６はトップピン１１とボトムピン１２と位置決めバネ１３とからなり、トップピン１１は上端側が傘状のテーパ面１１ａに形成されると共に、頂部が小面積の当接平面１１ｂに形成され下端部寄りに周方向のスリット状溝部１１ｃが形成されている。ボトムピン１２は、前記トップピン１１の下端部側が入り込む大きさの穴１２ａが設けられ、該穴１２ａの内周面に所要間隔をもって複数条（図示の実施例では４条）の円弧状の溝１２ｂが形成されており、複数段回（４段階）の切り替え（変換）ができるようになっている。
【００１７】
位置決めバネ１３は針金状バネを円形状に形成してその一部を除去して全体が縮径ができるように開口させたものであり、該位置決めバネ１３をトップピン１１のスリット状溝部１１ｃに余裕をもって（縮径可能に）係合させてあり、例えば、トップピン１１をボトムピン１２に挿着した時に、最初に一段目の溝１２ｂに位置決めバネ１３が嵌って（係合して）位置決めがなされて下ピン６の長さが設定される。
【００１８】
上記可変ピンシリンダ錠１の開閉に使用される鍵としては、図４（ａ）（ｂ）（ｃ）に示した異なる３つの鍵、つまり、１番目の初期の鍵１４と変換可能な２番目の鍵１５及び必要であれば（２番目の鍵１５を紛失する恐れがある場合等）変換可能な３番目の鍵１６とについて説明する。これらの初期の鍵１４と、変換可能な鍵１５と１６の違いは前記した可変タンブラーピン１０の当接位置の窪み１４ａ、１５ａと１６ａの深さが異なるだけであり、他のタンブラーピン５と当接する窪みは所要の段差をもって同じに形成されている。なお、２番目の可変タンブラーピンについても、前記した構成の可変タンブラーピンと同様のトップピン１１とボトムピン１２と位置決めバネ１３とを使用するものであり、トップピン１１とボトムピン１２との係合位置を違うようにすることにより、更に、２段階及び３段階以上の変更を可能にしたものである。その場合も使用する鍵の窪み深さ（位置）をそれぞれ変更すれば良いのである。例えば、１番目のタンブラーピンのボトムピンの溝１２ｂの数（４条）と２番目のタンブラーピンのボトムピンの溝１２ｂの数（３条）であれば、それらの合計（７段階）が変換可能回数になるのである。なお、変換可能回数に合わせて、１番目から７番目までの鍵が必要になることは言うまでもない事項である。
【００１９】
次に実際の変換例について図６〜図９について説明する。１番目の初期の鍵１４は、内装工事を行う業者に渡して内装工事中は室内に自由に出入りできるようにするのであり、この場合、図６及び図７（ａ）に示したように、初期の鍵１４を差し込む前は、全てのタンブラーピンのカウンターピン７の端部がシャーラインＸの位置を超えているが、可変ピンシリンダ錠1に初期の鍵１４を差し込むと、図７（ｂ）に示したように、可変タンブラーピン１０を含めて全てのタンブラーピンのカウンターピン７の端部がシャーラインＸに揃い、図７（ｃ）に示したように、内筒２を回動させて施錠及び開錠ができるので、内装工事の作業員は自由に出入りできるのである。
【００２０】
さらに、内装工事が終了後に業者から１番目の初期の鍵１４が返還され、例えば、マンションの販売業者が個人への販売が成立した物件について、鍵を渡す段階になった時に、図８及び図９（ａ）に示したように、２番目の変換可能な鍵１５を可変ピンシリンダ錠1に差し込むと、窪み１５ａが浅いので可変タンブラーピン１０を深く押し込み、シャーラインＸの位置にはカウンターピン７ではなくトップピン１１のテーパ面１１ａが位置する状態になる。
【００２１】
この状態でも２番目の変換可能な鍵１５を回転させることができるので、鍵１５を開錠または施錠する方向に回転させると、図９（ｂ）に示したように、テーパ面１１ａが外筒４との境界においてスリップしてトップピン１１がボトムピン１２内に押し込まれ、位置決めバネ１３が縮径して次の円弧状の溝１２ｂに嵌って係合し、トップピン１１とボトムピン１２とからなる下ピン６の長さが短くなり、これによって扉に取付けられたままで可変ピンシリンダ錠１は変換されたことになる。
【００２２】
その後、２番目の変換可能な鍵１５を使用すれば、他のタンブラーピンと同様に、カウンターピン７の下端面がシャーラインＸ上に整列し、可変ピンシリンダ錠１を施錠・開錠できるのである。このように下ピン６の長さが短くなると、図９（ｃ）に示したように、１番目の初期の鍵１４を使用しても、カウンターピン７がシャーラインＸを超えて位置するため、施錠・開錠ができなくなるであり、仮に、内装工事関係者が１番目の初期の鍵１４で不正に合鍵を形成してあっても以降は使用不可になるである。
【００２３】
このように可変ピンシリンダ錠１を扉に取付けた状態のままで、例えば、内装工事を行うために使用した合鍵があったとしても、２番目の変換可能な鍵１５を使用して施錠または開錠することで、直ちにシリンダ錠の機能を変えることができ、他の合鍵を使用できなくすることができるのである。
【産業上の利用可能性】
【００２４】
本発明に係る可変ピンシリンダ錠１は、鍵穴２を有する内筒３を回転可能に外筒４に嵌め込み、前記鍵穴２に突出させてそれぞれ長さの異なる下ピン６、カウンターピン７及びコイルバネ８とからなる複数のタンブラーピン５が配設された可変ピンシリンダ錠であって、前記タンブラーピンの少なくとも１本のタンブラーピンの下ピン６はトップピン１１とボトムピン１２と位置決めバネ１３とから形成され、前記トップピンは上端側が傘状のテーパ面１１ａに形成され、下端部寄りに周方向に形成されたスリット状溝部１１ｃに前記位置決めバネ１３が嵌め込まれ、前記ボトムピン１２は、前記トップピンの下端部側が入り込む大きさの穴１２ａが設けられ、該穴の内周面に所要間隔をもって複数条の円弧状の溝１２ｂが形成され、前記トップピン１１を前記ボトムピン１２に挿入し位置決めバネ１３が上部の円弧状の溝１２ｂに嵌って下ピン６の長さを初期設定の長さに設定し、２番目以降の変換可能な鍵１５、１６にて施錠・開錠操作をすることで前記下ピン６の長さを順次段階的に短くできる可変タンブラーピン１０とした構成とすることによって、例えば、使用している鍵を紛失した場合や、賃貸住宅等で入居者が変わった場合等において、扉に取付けられたシリンダ錠の本体部分を交換せずに、２番目以降の複数番目の変換可能な鍵で順次段階的に機能を変換させることができ、構成が簡単であり且つ可変ピンシリンダ錠１を扉に取付けた状態のままで初期の合鍵または前使用の鍵では施錠・開錠操作ができないようにしたものであるから、操作性も良くこの種の建売またはマンション業界において広い範囲で使用可能である。
【符号の説明】
【００２５】
１  可変ピンシリンダ錠
２  鍵穴
３  内筒
４  外筒
５  タンブラーピン
６  下ピン
７  カウンターピン
８  コイルバネ
９  バネ押え蓋
１０  可変タンブラーピン
１１  トップピン
１１ａ  テーパ面
１１ｂ  当接平面
１１ｃ  スリット状溝部
１２  ボトムピン
１２ａ  穴
１２ｂ  円弧状の溝
１３  位置決めバネ
１４  １番目の初期の鍵
１４ａ、１５ａ、１６ａ  窪み
１５  ２番目の変換可能な鍵
１６  ３番目の変換可能な鍵
Ｘ  シャーライン
【図１】
2020111962.tif 000003
【図２】
2020111962.tif 000004
【図３】
2020111962.tif 000005
【図４】
2020111962.tif 000006
【図５】
2020111962.tif 000007
【図６】
2020111962.tif 000008
【図７】
2020111962.tif 000009
【図８】
2020111962.tif 000010
【図９】
2020111962.tif 000011